(57)【要約】  プレーヤが感じるパターヘッドの重量増を抑制しつつ、ストロークを安定させるための練習を行い得るゴルフパターを提供する。グリップ１２が設けられたシャフト１１と、シャフト１１の先端に設けられた、打球面２２を有するパターヘッド（ヘッド本体部２１）とを備えるゴルフパター１０であって、パターヘッド（ヘッド本体部２１）の底面２１Ａよりも下方において上下動可能にパターヘッド（ヘッド本体部２１）に支持されたローラ７１、７２と、パターヘッド（ヘッド本体部２１）の打球面２２の向きとローラ７１、７２の転がり方向との関係を一定に保つローラ７１、７２の支持手段（突起部３１、３２、３３、溝部２３Ａ、ローラ部７０）とを備える。
2012070628.tif 000002
【特許請求の範囲】
【請求項１】
グリップが設けられたシャフトと、前記シャフトの先端に設けられた、打球面を有するパターヘッドとを備えるゴルフパターであって、
前記パターヘッドの底面よりも下方において上下動可能に前記パターヘッドに支持されたローラと、
前記パターヘッドの前記打球面の向きと前記ローラの転がり方向との関係を一定に保つ前記ローラの支持手段と
を備えることを特徴とするゴルフパター。
【請求項２】
前記ローラの転がり方向は、前記打球面に対して水平面内でほぼ直交する方向であることを特徴とする請求項１に記載のゴルフパター。
【請求項３】
前記支持手段は、前記ローラを、前記パターヘッドに着脱可能に支持することを特徴とする請求項１又は請求項２に記載のゴルフパター。
【請求項４】
前記支持手段は、
前記ローラを当該ローラの自重により前記底面の高さよりも下方に出没させることを特徴とする請求項１乃至請求項３のいずれかに記載のゴルフパター。
【請求項５】
前記支持手段は、
前記パターヘッドに回動可能に枢支される回動アームと、
前記回動アームの回動端に回転可能に枢支された前記ローラと
を備えることを特徴とする請求項１乃至請求項４のいずれかに記載のゴルフパター。
【請求項６】
前記回動アームの前記回動動作の回動中心となる回動軸を回動可能に略水平方向に支持すると共に、前記回動軸を前記回動軸に直交する方向に着脱可能とする支持部と、
前記回動アームの前記回動軸に沿う方向への動きを規制する規制部と
を備えることを特徴とする請求項５に記載のゴルフパター。
【発明の詳細な説明】
【技術分野】
【０００１】
本発明は、ゴルフのパッティングに使用されるゴルフパターに関する。
【背景技術】
【０００２】
従来、ゴルフのパッティングに使用されるゴルフパターは、グリップを有するシャフトの先端にパターヘッドが設けられており、このパターヘッドの打球面によってゴルフボールを打ち出すようになっている。【０００３】
ゴルフのパッティングでは、ゴルフパターの正確なストローク操作が必要とされる。ゴルフパターのストロークとしては、大別するとストレートトゥストレートやインサイドインといった種類がある。ストレートトゥストレートは、直線状の仮想のターゲットラインに沿って真直ぐにパターをテイクバックした後、ターゲットラインをなぞるようにして真直ぐにゴルフボールを打ち出し、インパクト後は、ターゲットラインに沿って真直ぐにフォロースルーする方法である。また、インサイドインは、ターゲットラインに対して、パターヘッドがプレーヤの身体寄りに入るようにテイクバックした後、ターゲットラインに沿うようにインパクトに向かい、真直ぐにゴルフボールを打ち出し、インパクト後は、ターゲットラインよりもプレーヤの身体寄りにパターヘッドが入るようにフォロースルーする方法である。【０００４】
ストレートトゥストレートのストロークを正確に行うことができるようになるためには、直線状のターゲットラインに沿って真直ぐにパターヘッドをテイクバックし、インパクトの後に直線状のターゲットラインに沿って真直ぐにパターヘッドをフォロースルーする練習を行う必要がある。また、インサイドインのストロークを正確に行うことができるようになるためには、ターゲットラインよりもプレーヤ側であって、プレーヤの頭頂部から背中の間の一点を中心にした円弧状のテイクバック及びフォロースルーを練習する必要がある。【０００５】
ところで、パターヘッドの打ち出し方向を安定させることを目的としたゴルフパターとして、例えば、パターヘッドの底面（ソール面）にローラを設けたものが考えられている（特許文献１〜３参照）。【０００６】
また、ドライバーやアイアンといったゴルフクラブにおいては、ゴルフボールの手前で地面を叩いた場合であってもスムーズにヘッドを振り抜くことを目的として、ヘッドの底面にローラを設けたものが考えられている（特許文献４〜７参照）。【０００７】
さらに、ゴルフパターにおいては、打球面の高さを保つことを目的として、パターヘッドの底面に突起を設けたものも考えられている（特許文献８、９参照）。
【先行技術文献】
【特許文献】
【０００８】
【特許文献１】特開平９−２３９０７９号公報
【特許文献２】実用新案登録第３０００４３１号公報
【特許文献３】実開平５−９５６８号公報
【特許文献４】実開平６−６４６７３号公報
【特許文献５】実開平７−２７６３１号公報
【特許文献６】特開平９−５６８５４号公報
【特許文献７】特開２００９−４５３９８号公報
【特許文献８】特開平８−２１５３５８号公報
【特許文献９】特開２００２−２３９０４４号公報
【発明の概要】
【発明が解決しようとする課題】
【０００９】
ところで、ヘッド部にローラを設けた場合、ローラと芝面との間の摩擦係数を大きくすることにより、ローラが安定して芝面上の一定のライン上を転がろうとする。このローラの転がりに追従するようにプレーヤがゴルフパターをストロークさせることで、ラインに追従した正確なストロークを行うことができると考えられる。【００１０】
ローラと芝面との間の摩擦係数を大きくする方法としては、ローラの重量を重くする方法が考えられる。しかしながら、ローラの重量を重くすると、その分、ゴルフパター全体の重量が重くなり、テイクバック、フォロースルーといった操作を行うことが難しくなる問題があった。【００１１】
そこで、本発明は、プレーヤが感じるパターヘッドの重量増を抑制しつつ、ストロークを安定させるための練習を行い得るゴルフパターを提供することを目的とする。
【課題を解決するための手段】
【００１２】
本発明の実施の形態に係る特徴は、グリップが設けられたシャフトと、前記シャフトの先端に設けられた、打球面を有するパターヘッドとを備えるゴルフパターであって、前記パターヘッドの底面よりも下方において上下動可能に前記パターヘッドに支持されたローラと、前記パターヘッドの前記打球面の向きと前記ローラの転がり方向との関係を一定に保つ前記ローラの支持手段とを備えることである。【００１３】
この構成においては、パターヘッドの打球面の向きとローラの転がり方向との関係が一定に保たれることにより、ゴルフパターを一定方向に振るストローク練習を行うことができる。この場合、ローラは、パターヘッドの底面よりも下方において上下動可能に支持されることにより、ストローク操作においてローラが芝面に追従して転がり、ローラと芝面との摩擦抵抗により、ローラの転がり方向にパターヘッドをガイドすることができる。【００１４】
また本実施の形態に係る特徴は、上記構成において、前記ローラの転がり方向は、前記打球面に対して水平面内でほぼ直交する方向であることである。【００１５】
この構成においては、ゴルフパターのストローク方向と打球面とが常に水平面内で直交することとなり、ゴルフボールの打ち出し方向を安定させることができる。【００１６】
また本実施の形態に係る特徴は、上記構成において、前記支持手段は、前記ローラを、前記パターヘッドに着脱可能に支持することである。【００１７】
この構成においては、ローラが着脱可能であることにより、練習グリーンをはじめとする種々の練習場所（フローリング、絨毯等の種々の床面、人口芝、その他の地面等）では、ローラを装着してストローク練習を行い、ゴルフコースをまわる場合には、ローラを外してプレーを行うことができる。このように、練習場所及びゴルフコースにおいて、同じゴルフパターをローラの有無の違いだけで用いることができることにより、練習場所用とゴルフコース用とで異なる専用のゴルフパターを用いる場合に比べて、プレーヤは、違和感を感じることなくプレーに集中できるようになる。これにより、練習グリーンでの練習の成果をゴルフコースにおけるプレーに反映させ易くすることができる。【００１８】
また本実施の形態に係る特徴は、上記構成において、前記支持手段は、前記ローラを当該ローラの自重により前記底面の高さよりも下方に出没させることである。【００１９】
この構成においては、ローラがその自重により底面よりも下方に吊り下げられた状態となることにより、ローラが芝面に接地する範囲では、パターヘッドを上下移動させても、ローラの重量がプレーヤに伝わることを抑制することができる。これにより、ストローク操作においてパターヘッドの上下動が生じても、プレーヤには、ローラと芝面との間の僅かな転がり抵抗だけが伝わることとなり、スムーズにストローク操作を行うことが可能となる。【００２０】
また本実施の形態に係る特徴は、上記構成において、前記支持手段は、前記パターヘッドに回動可能に枢支される回動アームと、前記回動アームの回動端に回転可能に枢支された前記ローラとを備えることである。【００２１】
この構成においては、回動アームの回動端にローラを枢支するといった簡単な構造により、底面の下方に出没可能にローラを支持することができる。【００２２】
また本実施の形態に係る特徴は、上記構成において、前記回動アームの前記回動動作の回動中心となる回動軸を回動可能に略水平方向に支持すると共に、前記回動軸を前記回動軸に直交する方向に着脱可能とする支持部と、前記回動アームの前記回動軸に沿う方向への動きを規制する規制部とを備えることである。【００２３】
この構成においては、回動アームの回動軸を、当該回動軸に直交する方向に着脱可能とし、装着された状態においては規制部によって回動アームの回動軸に沿う方向への不要な動きを規制することにより、回動アームに設けられたローラの転がり方向を安定化することができる。
【発明の効果】
【００２４】
本発明によれば、プレーヤが感じるパターヘッドの重量増を抑制しつつ、ストロークを安定させるための練習を行い得るゴルフパターを提供することができる。
【図面の簡単な説明】
【００２５】
【図１】本実施の形態のゴルフパターを示す斜視図である。
【図２】ゴルフパターのパターヘッドを示す斜視図である。
【図３】パターヘッドに装着されるローラ部を示す斜視図である。
【図４】パターヘッドに装着されるローラ部を示す平面図である。
【図５】回動アームを示す斜視図である。
【図６】ローラの断面を示す断面図である。
【図７】パターヘッドのヘッド本体部を示す斜視図である。
【図８】パターヘッドのヘッド本体部を示す平面図である。
【図９】図８のＢ−Ｂ線を断面にとって示す断面図である。
【図１０】図８のＡ−Ａ線を断面にとって示す断面図である。
【図１１】ローラ部のアーム部と係合片の平面ガイド部とのなす角の説明に供する側面図である。
【図１２】ヘッド本体部の底面を示す斜視図である。
【図１３】ヘッド本体部へのローラ部の装着状態を示す断面図である。
【図１４】制限部の説明に供する断面図である。
【図１５】ローラ部の取り外し方法の説明に供する断面図である。
【図１６】ローラ部をヘッド本体部に装着した状態を示す平面図である。
【図１７】規制手段としての溝部及び係合片の係合状態を示す平面図である。
【図１８】パターヘッドのローラが芝面に接地した状態を示す断面図である。
【図１９】ストローク時のパターヘッドの高さの変化を示す略線図である。
【図２０】ローラ部によるパターヘッドの直線的なストロークを示す平面図である。
【図２１】突起部を利用したプレーヤの目の位置の調整の説明に供する略線図である。
【図２２】突起部を利用したプレーヤの目の位置の調整の説明に供する略線図である。
【図２３】他の実施の形態に係るパターヘッドを示す斜視図である。
【図２４】他の実施の形態に係るパターヘッドを示す斜視図である。
【図２５】他の実施の形態に係るパターヘッドを示す斜視図である。
【図２６】他の実施の形態に係るパターヘッドを示す斜視図である。
【図２７】他の実施の形態に係るローラを示す斜視図である。
【図２８】一方のローラの径を大きくしたローラ部を示す平面図である。
【図２９】ローラ部によるパターヘッドの曲線的なストロークを示す平面図である。
【図３０】他の実施の形態に係るパターヘッドを示す断面図である。
【図３１】他の実施の形態に係るパターヘッドを示す断面図である。
【図３２】他の実施の形態に係るパターヘッドを示す断面図である。
【図３３】他の実施の形態に係るパターヘッドを示す斜視図である。
【図３４】他の実施の形態に係るポターヘッドを示す平面図である。
【図３５】他の実施の形態に係るパターヘッドを示す側面図である。
【図３６】他の実施の形態に係るパターヘッドをそのガード部が設けられた側から見た状態を示す正面図である。
【図３７】他の実施の形態に係るパターヘッドをその打球面側から見た状態を示す背面図である。
【図３８】他の実施の形態に係るパターヘッドの底面を示す斜視図である。
【発明を実施するための形態】
【００２６】
以下に、本発明に好適な実施形態について図面に基づいて説明する。
【００２７】
（実施の形態）
図１は、本実施の形態に係るゴルフパター１０を示す斜視図であり、図２は、ゴルフパター１０のヘッド２０を拡大して示す斜視図である。
【００２８】
図１に示すように、ゴルフパター１０は、シャフト１１と、シャフト１１の一方の端部に設けられたグリップ１２と、シャフト１１の他方の端部に設けられたパターヘッド２０とを有する。
【００２９】
図２に示すように、パターヘッド２０は、シャフト１１に固定されたヘッド本体部２１と、ヘッド本体部２１に回動可能に支持されたローラ部７０とを有する。ヘッド本体部２１は、打球面２２を有するベース体２３と、ベース体２３の打球面２２とは反対側の側面２３Ｂに設けられ、ローラ部７０を支持するための支持部２４と、ベース体２３の一部に設けられ、支持部２４に支持されたローラ部７０のローラ７１、７２を後述する使用状態において保護するガード部２５とを有する。
【００３０】
ローラ部７０は、ヘッド本体部２１に対して着脱可能に支持されている。図３は、ローラ部７０を示す斜視図であり、図４は、ローラ部７０の平面図である。図３及び図４に示すように、ローラ部７０は、回転軸７３の両端部に設けられ当該回転軸７３と一体に回転するタイヤ形状のローラ７１、７２と、回転軸７３を回転可能に軸支する軸受部７４、７５を先端部に有する凹状に形成された回動アーム７６と、回動アーム７６の凹状の底部に設けられた係合片７７とを有する。
【００３１】
図５は、回動アーム７６を示す斜視図である。図５に示すように、回動アーム７６は、その凹状の底部をなす回動軸７６Ａと、当該回動軸７６Ａの両端部から略垂直に延びる互いに平行な一対のアーム部７６Ｂ、７６Ｃとを有し、回動軸７６Ａが、ヘッド本体部２１の支持部２４（図２）に回動可能に水平に支持されることにより、当該回動軸７６Ａを回動中心として、アーム部７６Ｂ、７６Ｃが上下方向に回動（揺動）可能に支持される。アーム部７６Ｂ、７６Ｃが回動軸７６Ａを中心に回動（揺動）すると、アーム部７６Ｂ、７６Ｃの先端部（すなわち、ローラ７１、７２が設けられた側の回動端）が回動軸７６Ａを中心として、円弧を描くように上下動する。ローラ７１、７２の回転軸７３は、回動軸７６Ａに対して略平行に設けられていることにより、回動軸７６Ａを中心として、これと略平行な状態を保ちながら円弧を描くように上下動する。
【００３２】
回動アーム７６の凹状の底部に設けられた係合片７７は、全体が板状に形成されており、当該板状の周端部には、平面状の平面ガイド部７７Ａと、円弧状の曲面ガイド部７７Ｂとが形成されている。また、係合片７７には、その板状の厚み方向に回動アーム７６が貫通し、係合片７７と回動アーム７６とが一体化されている。
【００３３】
図６は、ローラ７１の断面を示す断面図である。図６に示すように、ローラ７１は、円板形状の金属材でなる回転体７１Ａと、回転体７１Ａの外周面に設けられたタイヤ７１Ｂとを有し、タイヤ７１Ｂは、回転体７１Ａと一体に回転するようになっている。回転体７１Ａの中心部には貫通孔７１Ｄが形成されており、当該貫通孔７１Ｄには回転軸７３（図４）が嵌合され、回転体７１Ａと一体に回転する。
【００３４】
回転体７１Ａの外周面には、その周方向に延在する突起部７１Ｃが形成されており、この突起部７１Ｃを含めた回転体７１Ａの外周面にタイヤ７１Ｂが被せられることにより、タイヤ７１Ｂが回転体７１Ａに対して一体化され、容易にずれないようになっている。
【００３５】
金属材でなる重量の重い回転体７１Ａの径Ｄ２は、金属材よりも軽いゴム材でなるローラ７１の厚みＴ０に比べて、格段に大きく形成されており、ローラ７１全体として、十分な重量を確保している。これにより、タイヤ７１Ｂがその自重により、芝面や床面等に常に安定して接地するようになっている。
【００３６】
また、タイヤ７１Ｂは、ゴム材で形成されていることにより、芝面や床面等との間の摩擦抵抗を大きくすることができ、芝面や床面等の上を安定して転がるようになっている。このように、ローラ７１においては、重い金属材で形成された回転体７１Ａと、芝面との摩擦抵抗が大きなゴム材で形成されたタイヤ７１Ｂとを組み合わせることにより、芝面や床面等の上を安定して転がるようになっている。
【００３７】
なお、タイヤ７１Ｂを回転体７１Ａに被せる構造としたことにより、タイヤ７１Ｂが転がる面（芝面、床面等）の材質や表面の状態に応じて、又はプレーヤの好みに応じて、様々な材質や形状のタイヤに交換することができる。
【００３８】
以上は、一方のローラ７１について述べたものであるが、他方のローラ７２も同様の構成を有しており、金属材でなる回転体７２Ａ（図３）の外周面に突起部が形成されており、この突起部を含めた回転体７２Ａの外周面にタイヤ７２Ｂ（図３）が被せられている。
【００３９】
図７は、ローラ部７０を取り外したヘッド本体部２１を示す斜視図であり、図８は、当該ヘッド本体部２１を示す平面図である。
【００４０】
図７及び図８に示すように、支持部２４は、回動軸７６Ａを、当該回動軸７６Ａに直交する方向（本実施の形態の場合、水平方向）から着脱可能に支持するものであり、ヘッド本体部２１のベース体２３の側面２３Ｂから水平方向（ローラ部７０の装着側）に突出した３つの突起部３１、３２及び３３を有する。図９は、図８のＢ−Ｂ線を断面にとって示す断面図であり、３つの突起部３１〜３３のうち、中央に配置された突起部３１は、他の２つの突起部３２、３３よりも高い位置に設けられており、突起部３２、３３は、同じ高さに並んで設けられている。
【００４１】
突起部３１の底面３１Ａと、突起部３２、３３の上面３２Ａ、３３Ａとの間には、ローラ部７０の回動アーム７６の回動軸７６Ａを挿通し得る程度の間隙が形成されている。すなわち、突起部３１の底面３１Ａと、突起部３２、３３の上面３２Ａ、３３Ａとの間の間隙は、ローラ部７０の回動アーム７６の直径よりも大きく形成されている。
【００４２】
また、突起部３２、３３の付け根部分の上面には、凹部３２Ｂ、３３Ｂが形成されている。この凹部３２Ｂ、３３Ｂ（図１０）には、ローラ部７０の回動アーム７６の回動軸７６Ａが落し込まれて係合される。
【００４３】
図１０は、図８のＡ−Ａ線を断面にとって示す断面図である。図１０に示すように、ローラ部７０をヘッド本体部２１に装着する場合、ローラ部７０の回動アーム７６の回動軸７６Ａを、突起部３１の底面３１Ａと、突起部３２、３３の上面３２Ａ、３３Ａとの間に挿入する。この場合、回動アーム７６に設けられた係合片７７の平面ガイド部７７Ａを、ヘッド本体部２１の突起部３１の底面３１Ａに合わることにより、ローラ部７０を底面３１Ａに沿って矢印ａ方向に挿入することができる。
【００４４】
ここで、図１１に示すように、係合片７７の平面ガイド部７７Ａのガイド面（平面）と、回動アーム７６のアーム部７６Ｂ、７６Ｃとのなす角α１は、ローラ部７０の回動角度として、後述する通常の使用状態において使用される可能性の低い、ローラ７１、７２を上方に大きく持ち上げる角度に設定されている。これにより、ローラ７１、７２を上方に大きく持ち上げることにより、係合片７７の平面ガイド部７７Ａを突起部３１の底面３１Ａに合わせ、ローラ部７０をヘッド本体部２１に着脱するようになっている。このように、通常の使用状態において使用される可能性の低い高さまでローラ７１、７２を持ち上げなければ、ローラ部７０を取り外すことができないように構成されていることにより、使用時に安易にローラ部７０が外れることを防止することができる。
【００４５】
図１０において、突起部３１と突起部３２、３３との間に挿入されたローラ部７０は、突起部３１と突起部３２、３３との間の間隙の最奥部に設けられた凹部３２Ｂ、３３Ｂまで達すると、当該ローラ部７０の自重により、凹部３２Ｂ、３３Ｂ内に落ち込む。凹部３２Ｂ、３３Ｂは、回動アーム７６の回動軸７６Ａを回動可能に支持し得る程度の大きさに形成されている。これにより、回動アーム７６の回動軸７６Ａは、凹部３２Ｂ、３３Ｂ内において、回動自在に支持される。すなわち、回動アーム７６のアーム部７６Ｂ、７６Ｃが回動軸７６Ａを中心にして揺動自在に支持される。
【００４６】
ここで、図８、図９及び図１２に示すように、ヘッド本体部２１のベース体２３には、ローラ部７０の係合片７７をガイドするための所定の幅でなる溝部２３Ａが、突起部３１の底面３１Ａの高さから、ヘッド本体部２１（パターヘッド２０）の底面（ソール面）２１Ａに亘って、上下方向に形成されている。溝部２３Ａの幅Ｗ１（図９）は、回動アーム７６の係合片７７の厚みＴ１（図４）よりも僅かに大きく形成され、溝部２３Ａ内に係合片７７を挿入することができると共に、回動軸７６Ａが回動する際に、回動軸７６Ａと一体に回動する係合片７７を、溝部２３Ａによってガイドするようになっている。
【００４７】
これにより図１３に示すように、回動アーム７６は、回動軸７６Ａを中心として、ローラ７１、７２が円弧に沿って上下動するように揺動する。すなわち、ローラ７１、７２は、上下方向に変位する。因みに、本実施の形態の場合、溝部２３Ａの幅Ｗ１（図９）は、４．０ｍｍに設定され、係合片７７の厚みＴ１（図４）は、３．０ｍｍに設定されている。
【００４８】
ヘッド本体部２１においては、並設された突起部３２、３３の各々の外側に、ベース体２３の側面２３Ｂの所定高さからヘッド本体部２１（パターヘッド２０）の底面２１Ａにかけて、傾斜面４２Ａ、４３Ａを有する制限部４２、４３が形成されている。
【００４９】
図１４に示すように、回動アーム７６が回動して、ローラ７１、７２が下方に下がると、一定の高さにおいて、回動アーム７６のアーム部７６Ｂが制限部４２の傾斜面４２Ａに当接すると共に、アーム部７６Ｃが制限部４３の傾斜面４３Ａに当接する。これにより、回動アーム７６は、それ以上下方に回動しないように回動範囲が制限される。
【００５０】
この制限される回動角度は、ローラ７１、７２がヘッド本体部２１（パターヘッド２０）の底面２１Ａから下方に突出する状態であって、回動アーム７６のアーム部７６Ｂ、７６Ｃが鉛直下方に向く角度には達しない程度（鉛直下方から角度β１だけ傾斜した角度）に設定されている。これにより、プレーヤがゴルフパター１０を構えた場合に、アーム部７６Ｂ、７６Ｃがその自重により鉛直下方を向くことを回避することができる。アーム部７６Ｂ、７６Ｃが鉛直下方を向くと、ローラ７１、７２の上にアーム部７６Ｂ、７６Ｃを介してヘッド本体部２１が乗った状態となり、それ以上ヘッド本体部２１を芝面に近づけることができなくなる場合がある。この場合、ゴルフパター１０を正しく構えることが困難になるが、本実施の形態においては、制限部４２、４３によってアーム部７６Ｂ、７６Ｃが鉛直下方を向くことを回避することにより、ヘッド本体部２１の底面２１Ａを芝面に近づけてゴルフパター１０を正しく構えることができる。なお、本実施の形態においては、練習場所として練習グリーン（芝面）を想定して説明するが、上述したように、練習場所としては、芝面の他に、種々の床面や地面を利用することができる。
【００５１】
一方、ローラ７１、７２を一定の高さまで持ち上げて回動アーム７６を回動させると、図１０に示したように、回動アーム７６の回動軸７６Ａに設けられた係合片７７の平面ガイド部７７Ａと、突起部３１の底面３１Ａとが平行な状態となる。この状態において、図１５に示すように、回動アーム７６（ローラ部７０）を持ち上げて、突起部３１の底面３１Ａに沿うように水平方向にスライドさせることにより（矢印ｅ）、ローラ部７０をヘッド本体部２１から取り外すことができる（矢印ｆ）。
【００５２】
このように、ローラ部７０は、図１０（図１５）に示す着脱可能な角度と、図１４に示す制限部４２、４３によって制限される角度との間において、支持部２４によって回動自在に支持される。
【００５３】
回動アーム７６の回動軸７６Ａに設けられた係合片７７が、ヘッド本体部２１の溝部２３Ａにガイドされることにより、ローラ部７０は、左右の振れ（回動軸７６Ａに沿う方向の振れ）が抑制されながら、回動軸７６Ａを中心とした回動動作を行うようになっている。
【００５４】
このようなローラ部７０の回動動作により、ローラ部７０のローラ７１、７２は、ヘッド本体部２１（パターヘッド２０）の底面２１Ａよりも下方において、その転がり方向を所定方向に保ちながら、上下動可能に支持されることになる。
【００５５】
プレーヤがゴルフパター１０を構えた場合、ヘッド本体部２１の底面２１Ａが芝面から僅かに浮いた状態となるが、この状態においては、ローラ部７０のローラ７１、７２がその回動範囲内にあることにより、ローラ７１、７２は、ヘッド本体部２１の底面２１Ａよりも下方において芝面に接する。ローラ７１、７２が芝面に接した状態において、プレーヤがゴルフパター１０をストロークすると、パターヘッド２０は、ローラ７１、７２の転がる方向へ導かれる。ローラ７１、７２の転がる方向は、ローラ７１、７２とこれを支持する回動アーム７６との関係、及び、回動アーム７６とこれを支持する支持部２４との関係によって決まり、本実施の形態の場合、パターヘッド２０は、ベース体２３の打球面２２に対して、水平面内で直交する方向に転がるようになっている。また、共通の回転軸７３を中心に一体となって回転するローラ７１、７２は、それぞれ同一の径を有していることにより、直線上を転がるようになっている。
【００５６】
また、係合片７７が溝部２３Ａに挿入された状態においては、図１６に示すように、回動アーム７６の回動軸７６Ａは、ヘッド本体部２１のベース体２３の側面２３Ｂと、突起部３２、３３の凹部３２Ｂ、３３Ｂの側面３２Ｃ、３３Ｃとの間に挟まれた状態となることにより、係合片７７がベース体２３の溝部２３Ａに挿入された状態が保たれる。ベース体２３の溝部２３Ａに係合片７７が挿入された状態においては、図１７に示すように、係合片７７は、ローラ７１、７２の転がり方向ｘ１（打球面２２に対して水平面内で直交する方向）に対して直交する方向ｘ２（回動軸７６Ａに沿う方向）への動きが溝部２３Ａによって規制され、また、転がり方向ｘ１に対して傾いた方向（矢印ｘ３方向）への傾きも規制される。
【００５７】
これにより、ローラ７１、７２は、その転がり方向（矢印ｘ１方向）に対して直交する方向（矢印ｘ２方向）への動きが規制され、また転がり方向（矢印ｘ１方向）に対して傾いた方向（矢印ｘ４方向）への傾きも規制される。かくして、ローラ７１、７２が転がる際の振れが抑制され、ローラ７１、７２は、その転がり方向ｘ１に対して直線上をスムーズに転がることになる。ゴルフパター１０のストローク時においては、この転がり方向ｘ１にパターヘッド２０が導かれることになる。
【００５８】
また、図８、図９及び図１２について上述したように、係合片７７の厚みＴ１と溝部２３Ａの幅Ｗ１との関係は、回動軸７６Ａと一体に回動する係合片７７の回動動作を妨げない程度であって、係合片７７の回動方向をガイドすることができる程度のクリアランスを有する関係になっていることにより、係合片７７が溝部２３Ａに挿入された状態においては、例えば、ローラ７１が上方に変位し、ローラ７２が下方に変位した場合のように、ローラ７１、７２の上下動が一致しないことによる回動軸７６Ａの上下方向への大きな傾きを抑制することができる。例えば、ローラ７１、７２を接地させて芝面上を転がした際に、芝面の凹凸等の影響により、ローラ７１、７２のうちの一方が浮き上がった状態となると、回動軸７６Ａが上下方向に傾くことになる。このように回動軸７６Ａが大きく傾くことを、係合片７７と溝部２３Ａとの関係によって抑制している。回動軸７６Ａが大きく傾くと、回動軸７６Ａが、突起部３２の凹部３２Ｂ又は突起部３３の凹部３３Ｂから抜け出して、回動アーム７６が支持部２４から脱落するといった不都合が生じる虞があるが、本実施の形態においては、回動軸７６Ａの大きな傾きを抑制することにより、そのような不都合の発生を抑制することができる。
【００５９】
このように、溝部２３Ａ及びこれに挿入される係合片７７は、ローラ７１、７２の不要な動きを規制する規制手段を構成する。
【００６０】
また、突起部３１の幅Ｗ１１（図１６）を所定の大きさとすることによっても、回動アーム７６の回動軸７６Ａが上下方向に大きく傾くことを抑制するようになっている。この点について、本実施の形態における突起部３１のように、突起部３１の幅Ｗ１１をある程度大きくしておくことにより、回動軸７６Ａが大きく傾くことを防止して、回動アーム７６が支持部２４から脱落することを抑制することができる。このように、本実施の形態においては、係合片７７と溝部２３Ａとの関係の他に、突起部３１の幅Ｗ１１によっても、回動軸７６Ａの大きな傾きを抑制するようになっている。すなわち、所定の幅Ｗ１１でなる突起部３１は、ローラ７１、７２の不要な動きを規制する規制手段を構成している。
【００６１】
また、突起部３１の底面３１Ａと、突起部３２、３３の上面３２Ａ、３３Ａとの間隔は、図１０に示したように、回動軸７６Ａの直径にある程度のクリアランスを加えた大きさとなっている。これにより、回動アーム７６を支持部２４に装着する際、及び回動アーム７６を支持部２４から取り外す際において、回動アーム７６が突起部３１の底面３１Ａと、突起部３２、３３の上面３２Ａ、３３Ａとの間をスムーズにスライドし得るようになっている。
【００６２】
以上説明したように、回動アーム７６の回動軸７６Ａに設けられた係合片７７は、回動アーム７６のローラ７１、７２を一定の高さまで持ち上げた状態（図１５）において、当該回動アーム７を支持部２４に対して着脱可能とする第１の機能と、図１７について上述したように、回動アーム７６の転がり方向（矢印ｘ１方向）に対して直交した方向（矢印ｘ２方向）への動きや、転がり方向（矢印ｘ１方向）に対して傾いた方向（矢印ｘ４方向）への不要な動きを規制する第２の機能と、回動軸７６Ａが上下方向に大きく傾くことを抑制する第３の機能を有している。また、突起部３１の幅Ｗ１１を所定の大きさとすることによっても第３の機能を実現するようになっている。
【００６３】
なお、本発明において、上述した第１乃至第３の機能のうち、係合片７７に第１の機能のみを持たせ、第２の機能及び第３の機能については、他の構成部が持つようにしてもよい。第３の機能については、図１６について上述したように、突起部３１の幅Ｗ１１を所定の大きさとすることにより実現されている。第２の機能については、例えば、突起部３２の外側部３２Ｆから突起部３３の外側部３３Ｆまでの幅Ｗ１２（図１６）と、回動アーム７６のアーム部７６Ｂ、７６Ｃの距離Ｗ１３とを近づけることにより、回動アーム７６の不要な動きを規制するようにしてもよい。この場合、突起部３２の外側部３２Ｆから突起部３３の外側部３３Ｆまでの距離Ｗ１２と、回動アーム７６のアーム部７６Ｂ、７６Ｃの距離Ｗ１３との差（クリアランス）が小さすぎると、回動アーム７６の回動動作や支持部２４への着脱動作をスムーズに行うことが困難になり、一方、これらの差が大きくなりすぎると、回動アーム７６の不要な動きが大きくなって、安定したストロークを行うことが難しくなる。
【００６４】
従って、突起部３２、３３と、アーム部７６Ｂ、７６Ｃとの関係によって、回動アーム７６の不要な動きを規制する場合、不要な動きを規制しつつ、回動アーム７６のスムーズな動きを阻害しない程度のクリアランスに設定する必要がある。
【００６５】
ローラ７１、７２が芝面に接した状態においては、ローラ７１、７２の重量は、芝面にかかることになり、一方の端部がローラ７１、７２を介して芝面に支持された回動アーム７６のわずかな重量がプレーヤに対して加わるのみとなる。これにより、ローラ部７０を装着した場合において、プレーヤが感じる重量の増加を抑制することができる。
【００６６】
なお、図１２に示すように、突起部３２、３３は、ベース体２３から横方向に突出し、その底面は、ヘッド本体部２１の底面２１Ａに沿って形成されている。これにより、ヘッド本体部２１のテイクバック時において、突起部３２、３３の底面３２Ｄ、３３Ｄが芝面上を沿うようにガイドとして機能するようになっている。この場合、突起部３２、３３の先端部の底面側には、底面３２Ｄ、３３Ｄから垂直方向にかけて曲面状をなす曲面部３２Ｅ、３３Ｅが形成されており、ヘッド本体部２１が芝面上に当る状況においても、この曲面部３２Ｅ、３３Ｅによって、ヘッド本体部２１の動きを芝面に沿って滑らかにすることができ、芝面との抵抗が大きくなることを回避して、ストロークが乱れることを防止することができる。
【００６７】
以上説明した構成のゴルフパター１０の動作を説明する。プレーヤが練習グリーンにおいてパターの練習を行う場合、ヘッド本体部２１にローラ部７０を装着する。ローラ部７０が装着された状態においては、ローラ部７０は、ヘッド本体部２１の支持部２４によって回動可能に支持された状態となり、回動アーム７６の先端部に設けられたローラ７１、７２がヘッド本体部２１の底面２１Ａの下方から突出するように吊り下げられた状態となる。
【００６８】
この状態において、プレーヤがゴルフパター１０を構え、ヘッド本体部２１を芝面に近づけると、ローラ７１、７２が芝面に接する。さらにヘッド本体部２１を芝面に近づけると、ローラ部７０は、回動アーム７６の回動軸７６Ａを中心に矢印ｈ方向（図１４）に回動する。プレーヤがゴルフパター１０を構えると、図１８に示すように、ヘッド本体２１の底面２１Ａが芝面から浮いた分だけ、ローラ７１、７２が底面２１Ａから下方へ突出した状態で芝面９１に接する。
【００６９】
この場合、ローラ部７０の主たる重量を占めるローラ７１、７２の重量はプレーヤには伝わらず、プレーヤはローラ部７０を装着したことによる大幅な重量増を感じることなく、ストローク動作を行うことができる。なお、回動軸７６Ａを支持する凹部３２Ｂ、３３Ｂにかかるローラ部７０の重量が僅かであるため、ストローク時に芝面９１からの反力によって回動軸７６Ａを浮き上がらせる力が作用する場合があるが、凹部３２Ｂ、３３Ｂの上方には突起部３１が設けられていることにより、凹部３２Ｂ、３３Ｂ内に支持された回動軸７６Ａは、突起部３１の底面３１Ａに規制されて、大きく浮き上がらないようになっている。これにより、回動軸７６Ａの上下方向の振れが抑制されて、安定したストロークを行うことが可能となる。
【００７０】
プレーヤがストローク動作を開始すると、ヘッド本体部２１は、ローラ７１、７２の転がりによって、そのストローク方向が常に一定方向にガイドされる。図１９に示すように、ストロークにおいては、ヘッド本体部２１の底面２１Ａと、芝面９１との距離が一定ではなく、テイクバック（矢印ｉ方向）及びフォロースルー（矢印ｊ方向）のいずれにおいても、ヘッド本体部２１と芝面９１との距離が変化する。回動アーム７６の回動により、ローラ７１、７２がストローク中においてもヘッド本体部２１の底面２１Ａの下方において上下動自在となっていることにより、ローラ７１、７２は、ヘッド本体部２１が上下動しても、芝面９１に接した状態を保つ。これにより、ヘッド本体部２１は、ローラ７１、７２の転がりによって一定方向へガイドされる。また、ローラ７１、７２が芝面９１に接した状態が保たれることにより、ローラ７１、７２の重量は常に芝面９１によって受止められ、プレーヤへは伝わらなくなる。
【００７１】
また、ローラ７１、７２の接地面（タイヤ７１Ｂ、７２Ｂ）は、ゴム材により構成されていることにより、芝面９１とローラ７１、７２との間の摩擦係数を大きくすることができる。これにより、目標とする仮想のターゲットラインに沿って真直ぐにヘッド本体部２１をテイクバックしフォロースルーすることができる。
【００７２】
なお、本実施の形態においては、同じ径のローラ７１、７２を用いることにより、図２０に示すように、仮想的な直線状のターゲットラインＬ１に沿ってストロークを行うことができる。
【００７３】
以上説明したパターヘッド１０において、ヘッド本体部２１にローラ部７０を装着した状態でプレーヤがゴルフパター１０を構えると、ローラ７１、７２が芝面９１に接触する。この状態でパターヘッド２０をストロークさせると、パターヘッド２０が動くときに、ローラ７１、７２と芝面９１との間の摩擦力によってヘッド本体部２１がローラ７１、７２を引っ張る形態となる。
【００７４】
ローラ７１、７２は、回転可能に軸支されていることにより、芝面上のストロークでは、当該ローラ７１、７２が芝面上を転がる方向にはパターヘッド２０が動き易くなるが、ローラ７１、７２が転がる方向と異なる方向（水平面における横方向等）には動き難い。これによってパターヘッド２０は、強制的にローラ７１、７２が転がる方向へ導かれ、横方向には動き難くなり、ストローク方向の乱れを抑制することができる。
【００７５】
これを前提として、ローラ７１、７２と支持手段（突起部３１、３２、３３、溝部２３Ａ、ローラ部７０）との更なる動きの規制関係によって、パターヘッド２０の動きの乱れを抑制し得る。
【００７６】
ローラ部７０はヘッド本体部２１に対して着脱可能であることにより、練習グリーンにおいては、ローラ部７０をヘッド本体部２１に装着することにより、仮想的なターゲットラインに沿ったストロークの練習を行うことができる。
【００７７】
また、ゴルフコースのグリーンにおいてプレーを行う場合、ヘッド本体部２１からローラ部７０を取り外して、プレーを行う。この場合、練習用に装着されるローラ部７０以外（グリップ１２、シャフト１１、ヘッド本体部２１）は、ローラ部７０を取り付けて練習を行ったものと同じものであるため、プレーヤは、違和感なくプレーを行うことができる。上述したように、練習グリーンにおいてローラ部７０を装着した場合と、ゴルフコースのグリーンにおいて、ローラ部７０を取り外した場合とでは、プレーヤに伝わるパターヘッド２０の重さの変化が僅かであり、パターヘッド２０をローラ７１、７２とともに動かすことによる抵抗はあるものの、その抵抗は、ローラ７１、７２の僅かな転がり抵抗であるが故に、ゴルフコースのグリーンにおいて、プレーヤは、練習時と同様の感覚でゴルフパター１０のストロークを行うことができる。
【００７８】
なお、パターヘッド２０のヘッド本体部２１には、パターヘッド２０を正しく構えた場合に正しい目の位置でプレーヤがアドレスすることができる機能を有している。図８に示したように、ヘッド本体部２１には、３つの突起部３１、３２及び３３が水平方向に延在するように設けられており、各突起部３１、３２及び３３の間には、所定の間隙が形成されている。突起部３１と突起部３２との間の間隙Ｗ２（図１６）は２．０ｍｍに形成され、また、突起部３１と突起部３３との間の間隙Ｗ３も２．０ｍｍに形成されている。
【００７９】
図２１に示すように、突起部３１が設けられた位置は、プレーヤがゴルフパター１０を正しく構えた際に、当該突起部３１を鉛直上方から見る位置がプレーヤの正しい目の位置となるように設定されている。プレーヤが突起部３１を真上から見る正しい位置で構えた場合、図２２（ａ）に示すように、突起部３１と突起部３２との間隙Ｗ２と、突起部３１と突起部３３との間隙Ｗ３とは、いずれも同じ幅に見える。これに対して、プレーヤの目の位置がヒール側に寄っている場合、図２２（ｂ）に示すように、突起部３１と突起部３２との間隙Ｗ２は、突起部３１と突起部３３との間隙Ｗ３よりも狭く見えるか又は突起部３１と突起部３２とが重なるように見える。また、プレーヤの目の位置がトウ側に寄っている場合、図２２（ｃ）に示すように、突起部３１と突起部３３との間隙Ｗ３は、突起部３１と突起部３２との間隙Ｗ２よりも狭く見えるか又は突起部３１と突起部３３とが重なるように見える。このように、プレーヤは、突起部３１、３２及び３３の間隙Ｗ２、Ｗ３の見え方によって、ゴルフパター１０を正しく構えることが可能となる。
【００８０】
（他の実施の形態）
（１）  上述の実施の形態においては、ヘッド本体部２１の支持部２４によって回動自在に支持される回動アーム７６を用いてローラ７１、７２を上下動させる場合について述べたが、これに限られるものではなく、ローラ７１、７２を上下動させるための構成は、他の種々の構成を適用することができる。
【００８１】
図２３及び図２４は、他の実施の形態におけるゴルフパターのパターヘッド１２０を示す斜視図である。図２３及び図２４に示すように、ヘッド１２０は、シャフト１１１の先端部に固定されたヘッド本体部１２１と、このヘッド本体部１２１に上下動可能に支持されるローラ部１７０とを有する。
【００８２】
ヘッド本体部１２１は、打球面１２２を有するベース体１２３を有し、ベース体１２３の打球面１２２とは反対側の側面１２３Ｂには、ガイド板１３１が水平方向に支持されている。ガイド板１３１の先端部は、支持アーム１３２、１３３によってベース体１２３に支持された支持部材１３５に支持されている。
【００８３】
ガイド板１３１は、板状部材で形成され、その中央部分に上下方向に貫通するガイド孔１３１Ａが形成されている。このガイド孔１３１Ａには、ローラ部１７０のスライド板１７４が挿入される。
【００８４】
ローラ部１７０は、ベース板１７６に揺動可能に支持されたスライド板１７４と、スライド板１７４に形成された貫通孔１７４Ａに挿通される回転軸１７３と、この回転軸１７３の両端部にそれぞれ設けられ回転軸１７３と一体に回転するローラ１７１、１７２とを有する。回転軸１７３は、軸受部材（図示せず）を介して、ベース板１７６に回転可能に軸支されている。
【００８５】
スライド板１７４は、ガイド板１３１のガイド孔１３１Ａに挿入された状態において、上下方向にスライド可能となっている。スライド板１７４の上縁部には厚みが大きな係止部１７４Ｂが形成されており、当該係止部１７４Ｂに円筒形状の係止部材１７７がそのスリット部１７７Ａを介して装着されることにより、スライド板１７４がガイド孔１３１Ａから抜け落ちることを防止している。
【００８６】
図２４に示すように、ローラ部１７０がヘッド本体部１２１に装着された状態においては、ローラ部１７０が、ガイド孔１３１Ａにガイドされながら、矢印ｙ１で示す上下方向に移動可能となっており、ローラ部１７０に設けられたローラ１７１、１７２は、ヘッド本体部１２１の底面１２１Ａよりも下方において上下動可能に支持された状態となっている。ローラ１７１、１７２の転がり方向は、ローラ１７１、１７２の回転軸１７３と回転軸１７３を支持するベース板１７６との関係、ベース板１７６とスライド板１７４との関係、及び、スライド板１７４とスライド板１７４をガイドするガイド孔１３１Ａとの関係によって決まり、ローラ１７１、１７２は、常に、打球面１２２に対して水平面内で直交する方向に転がるようになっている。
【００８７】
これにより、ローラ部１７０を装着した状態でストローク動作を行うと、接地したローラ１７１、１７２の転がりによって、ヘッド本体部１２１を、常に、打球面１２２に対して水平面内で直交する一定の方向にストロークさせることができ、練習グリーンにおいて仮想的なターゲットラインに沿ったストロークの練習を行うことができる。
【００８８】
また、ゴルフコースのグリーンにおいてプレーを行う場合、ヘッド本体部１２１からローラ部１７０を取り外して、プレーを行うことができる。
【００８９】
（２）  図２３及び図２４に示した構成においては、上下方向に直線的に移動可能に支持されたスライド板１７４を用いたが、これに限られるものではなく、例えば、図２５及び図２６に示すように、ローラ２７１、２７２を支持する支持部材２８０を、ヘッド本体部２２１の底面２２１Ａ側から装着する構成としてもよい。
【００９０】
図２５及び図２６に示すように、パターヘッド２２０は、シャフト２１１の先端部に固定されたヘッド本体部２２１と、このヘッド本体部２２１に上下動可能に支持されるローラ部２７０とを有する。
【００９１】
ヘッド本体部２２１は、打球面２２２を有するベース体２２３を有し、ベース体２２３の打球面２２２とは反対側の側面２２３Ｂには、ガイド板２３１が水平方向に支持されている。
【００９２】
ガイド板２３１は、板状部材で形成され、その中央部分には、下面２３１Ａに開口した装着部２３５が形成されている。この装着部２３５には、ローラ部２７０の支持部材２８０が嵌合される。また、ガイド板２３１の下面２３１Ａには、装着部２３５から打球面２２２と平行な水平方向に延伸し、ガイド板２３１の下面２３１Ａに開口するガイド穴２３１Ｂが形成され、支持部材２８０を装着部２３５に装着した際に、支持部材２８０に支持された回転軸２７３がガイド穴２３１Ｂに挿入されるようになっている。
ローラ部２７０は、支持部材２８０と、支持部材２８０に回転自在に支持される回転軸２７３と、この回転軸２７３の両端部にそれぞれ設けられ回転軸２７３と一体に回転するローラ２７１、２７２とを有する。
【００９３】
支持部材２８０は、円盤形状のベース板２８１と、ベース板２８１に固定された軸受部２８２を有し、軸受部２８２によって回転軸２７３を軸支する。軸受部２８２は、回転軸２７３を上下方向（矢印ｙ１方向）に移動可能とするように長孔形状に形成されている。また、ガイド板２３１に形成されたガイド穴２３１Ｂは、ガイド板２３１の下面２３１Ａに開口する凹形状であり、この凹形状の内部において回転軸２７３が上下動するようになっている。
【００９４】
ガイド板２３１の下面２３１Ａに形成された装着部２３５は、支持部材２８０のベース板２８１を嵌合する第１の凹部２３５Ａと、支持部材２８０の軸受部２８２を嵌合する第２の凹部２３５Ｂを有し、支持部材２８０を嵌合することにより、回転軸２７３を、ガイド板２３１のガイド穴２３１Ｂの内部に支持する。
【００９５】
図２６に示すように、ローラ部２７０がヘッド本体部２２１に装着された状態においては、ローラ２７１、２７２は、ガイド穴２３１Ｂにガイドされながら、矢印ｙ１で示す上下方向に移動可能となっており、ローラ２７１、２７２の下部は、ヘッド本体部２２１の底面２２１Ａよりも下方において上下動可能に支持された状態となっている。ローラ２７１、２７２の転がり方向は、ローラ２７１、２７２の回転軸２７３と回転軸２７３を支持する軸受部２８２との関係、及び、軸受部２８２とガイド板２３１との関係によって決まり、ローラ２７１、２７２は、常に、打球面２２２に対して水平面内で直交する転がり方向に転がるようになっている。
【００９６】
これにより、ローラ部２７０を装着した状態でストローク動作を行うと、接地したローラ２７１、２７２の転がりによって、ヘッド本体部２２１を、常に、打球面２２２に対して水平面内で直交する一定の方向にストロークさせることができ、練習グリーンにおいて仮想的なターゲットラインに沿ったストロークの練習を行うことができる。
【００９７】
また、ゴルフコースのグリーンにおいてプレーを行う場合、ヘッド本体部２２１からローラ部２７０を取り外して、プレーを行うことができる。
【００９８】
（３）  上述の実施の形態においては、ゴム材でなるローラ７１、７２を用いる場合について述べたが、これに限られるものではなく、要は、ローラ７１、７２が接地する芝面や絨毯等の床面との摩擦抵抗が大きな材質であれば、他の種々の材質を用いることができる。
【００９９】
（４）  上述の実施の形態においては、接地面が滑らかなタイヤ形状のローラ７１、７２を用いる場合について述べたが、これに代えて、例えば、図２７に示すように、周側面に複数の突起３７５を有する回転板３７１Ａ、３７１Ｂを回転軸３７３によって結合したものを、ローラ７１、７２及び回転軸７３（図３、図４）に代えて用いるようにしてもよい。回転板３７１Ａ、３７１Ｂにおいては、その接地面である周側面に突起３７５を設けることにより、芝面との摩擦抵抗を大きくすることができ、その分、回転板３７１Ａ、３７１Ｂを所定の転がり方向に安定的に転がすことができる。
【０１００】
なお、ローラを転がす面（床面、絨毯等）に応じて、回転板３７１Ａ、３７１Ｂの周側面に設けられた突起３７５を省略してもよい。
【０１０１】
（５）  上述の実施の形態においては、ローラ部７０の左右のローラ７１、７２として、同じ径のローラ７１、７２を用い、パターヘッド２０を直線的にストロークさせる場合について述べたが、これに限られるものではなく、例えば、図２８に示すように、トウ側のローラ７１の径Ｄ１１を、ヒール側のローラ７２の径Ｄ１２よりも大きくして、ローラ部７０が円弧に沿って転がるようにしてもよい。このようにすれば、図２９に示すように、いわゆるインサイドインの練習を行う際に、円弧状のラインＬ２に沿ったストロークの練習を行うことが可能となる。
【０１０２】
なお、ローラ７１、７２の径が異なることにより、ローラ７１、７２を接地させた状態において回動軸７６Ａが水平方向に対して僅かに傾斜した状態となり、これに応じて係合片７７も溝部２３Ａに対して僅かに斜めに挿入されることになるが、溝部２３Ａの幅Ｗ１（図９）は、この分を吸収し得る程度の大きさに形成されていることにより、ローラ部７０をスムーズに回動させることができる。
【０１０３】
（６）  上述の実施の形態においては、ローラ部７０の回動軸７６Ａを、ヘッド本体部２１の支持部２４に対して、略水平方向に着脱する構成としたが、これに限られるものではなく、例えば図３０に示すように、水平方向に対して斜めの方向から着脱させる構成としてもよい。
【０１０４】
（７）  上述の実施の形態においては、ローラ部７０の回動軸７６Ａを、ヘッド本体部２１の支持部２４に対して、略水平方向に着脱する構成としたが、これに限られるものではなく、例えば図３１に示すように、略垂直方向から着脱させる構成としてもよい。
【０１０５】
図３１に示す構成においては、突起部３２の上面３２Ａから垂直方向に凹部３２Ｂが形成されており、上面３２Ａに形成された凹部３２Ｂの開口からローラ部７０の回動軸７６Ａを凹部３２Ｂへ落とし込む。これにより、凹部３２Ｂ内において、回動軸７６Ａは、回動可能に支持される。なお、凹部３２Ｂには、その開口を閉塞するためのストッパ３３１を装着し得るようになっている。このストッパ３３１には、凹部３２Ｂ内へ挿入される挿入部３３１Ａが設けられており、凹部３２Ｂへ挿入された挿入部３３１Ａの底面３３１Ｂによって、回動軸７６Ａを凹部３２Ｂ内に保持することができる。これにより、凹部３２Ｂ内において、回動軸７６Ａが上下方向に振れることを抑制することができる。
【０１０６】
以上は一方の突起部３２について述べたものであるが、他方の突起部３３も同様の構成を有しており、突起部３２、３３の凹部により、回動軸７６Ａが支持される。
【０１０７】
このようにローラ部７０の回動軸７６Ａが垂直方向に着脱する構成においては、これに応じて、ベース体２３の溝部２３Ａをベース体２３の上面から底面（ヘッド本体部２１の底面２１Ａ）に亘って形成し、回動軸７６Ａに設けられた係合片３７７をガイドするようになっている。係合片３７７は、上述の実施の形態に示した係合片７７（図３）と同様にして、ローラ部７０の横方向の振れや横方向の傾き（捻れ）を抑制する機能を有する円板形状の部材である。図３１に示す構成では、図１０に示したように突起部３１の底面３１Ａ（図１０）に沿ってローラ部７０を着脱させる必要がないため、係合片３７７には、図１０に示した係合片７７に形成されている平面ガイド部７７Ａを設ける必要がなく、外周部全体が曲面ガイド部３７７Ｂを形成する円板状に形成されている。
【０１０８】
図３１に示す構成においても、ローラ部７０を垂直方向に落とし込んでヘッド本体部２１に装着することができる。
【０１０９】
（８）  上述の実施の形態においては、ローラ部７０を着脱可能な構成について述べたが、これに限られるものではなく、ローラ部７０を常に装着した一体型としてもよい。この場合、回動アーム７６を支持する支持部２４として、例えば、突起部３１、３２及び３３に代えて、回動アーム７６を軸支する軸受部をベース体２３に設けるようにすればよい。
【０１１０】
（９）  上述の実施の形態においては、ローラ部７０を保護するガード部２５（図２）を設ける場合について述べたが、これに限られるものではなく、ガード部２５を設けない構成としてもよい。
【０１１１】
（１０）  上述の実施の形態においては、ローラ部７０を装着するための支持部２４をヘッド本体部２１に一体に設ける場合について述べたが、これに限られるものではなく、支持部２４を別体とするようにしてもよい。
【０１１２】
図３２は、ヘッド本体部２１に一体化された支持部２４（図７）に代えて、同様の機能を有する別体の支持部３２４を設ける構成を示す斜視図である。支持部３２４は、ヘッド本体部２１のベース体２３に装着される平板状の本体部３２４Ａと、この本体部２３４Ａの主面から突出するように形成された突起部３３１、３３２及び３３３とを有する。突起部３３１は、図７に示した突起部３１と同様の機能を有するものであり、突起部３３２、３３３は、図７に示した突起部３２、３３と同様の機能を有するものである。
【０１１３】
本体部３２４Ａの両端部には、当該両端部に沿って上下に延在するガイド突起３２４Ｂ、３２４Ｃが形成されており、これに対応して、ベース体２３に上下方向に延在する溝部２３Ｃ、２３Ｄが形成されている。溝部２３Ｃ、２３Ｄの上部は、ベース体２３の上面に連通している。これにより、支持部３２４の本体部３２４Ａのガイド突起３２４Ｂ、３２４Ｃを、溝部２３Ｃ、２３Ｄに挿入し、支持部３２４を下方にスライドさせることにより、支持部３２４をベース体２３に装着することができる。
【０１１４】
突起部３３２、３３３には、凹部３３２Ｂ、３３３Ｂが形成され、この凹部３３２Ｂ、３３３Ｂによってローラ部７０の回動軸７６Ａを回動可能に支持するようになっている。
【０１１５】
このように、ベース体２３に対して別体の支持部３２４を用いることにより、支持部３２４の製造を容易に行うことができるようになる。すなわち、図７に示したようなベース体２３に一体化された支持部２４を用いる場合、ヘッド本体部２１として、ベース体２３、支持部２４、ガード部２５等を一体に形成する必要があり、形状が複雑化する分、ヘッド本体部２１の製造工程が煩雑になるが、別体の支持部３２４を用いることにより、ヘッド本体部２１の形状が簡略化されることとなり、その分、ヘッド本体部２１の製造を容易に行うことができるようになる。因みに、突起部３３２、３３３の先端部の底面は、先端に行くほど上方に傾斜する曲面形状となっていることにより、パターヘッド２０をテイクバックする際に、芝面との抵抗が大きくなるといった不都合が生じることを回避することができる。
【０１１６】
（１１）  上述の実施の形態においては、図７、図３２に示したように、ベース体２３から横方向へ大きく突出した突起部３１、３２、３３を設ける場合について述べたが、これに限られるものではなく、突起部３１、３２、３３の突出量は、少なくとも、保持部３２Ｂ、３３Ｂを形成し得る程度であればよい。
【０１１７】
（１２）  上述の実施の形態においては、図１６に示したように、ローラ部７０に設けられた係合片７７をベース体２３の溝部２３Ａに挿入することで、ローラ７１、７２の転がり方向の乱れを抑制するようにしたが、これに限られるものではなく、ローラ７１、７２を支持するアーム部７６Ｂ、７６Ｃの内側部を、突起部３２、３３の外側部３２Ｆ、３３Ｆ（図１６）によってガイドするようにしてもよい。
【０１１８】
（１３）  上述の実施の形態においては、図１６に示したように、ローラ部７０の回動軸７６Ａを、突起部３２、３３の凹部３２Ｂ、３３Ｂによって回動可能に支持する場合について述べたが、回動軸７６Ａの支持方法はこれに限られるものではなく、例えば、円筒部材に回動軸７６Ａを挿入し、この円筒部材をベース体２３によって支持する構成としてもよい。この場合、円筒部材の端部によって、ローラ部７０のアーム部７６Ｂ、７６Ｃの内側部をガイドすることにより、ローラ７１、７２の横方向への振れを抑制することができる。このように、回動軸７６Ａを支持する構成としては、種々の構成を適用することができる。
【０１１９】
（１４）  上述の実施の形態においては、ゴルフパター１０の練習場所として、芝面上を想定する場合について述べたが、これに限られるものではなく、例えば、フローリング、絨毯等の種々の床面、人口芝、その他の地面を練習場所とすることができる。この場合、練習場所（面）に応じて、例えば図２７に示した突起３７５を有するローラ３７１を用い、又は、ローラ７１、７２の外周部に被せられるゴム材の弾性を異なるものとする等、練習場所に合わせて種々のローラを使用することができる。
【０１２０】
（１５）  ゴルフパターのガード部２５の形状としては、図２との対応部分に同一符号を付して示す図３３〜図３８に示すように、全体として厚みの薄いウイング状（薄板状）にした形状、先端にかけてその厚みが次第に薄くなる形状としてもよい。
【０１２１】
ガード部２５の厚みに応じて、当該ガード部２５が設けられる側の重量が決まるため、このガード部２５の厚みに応じたゴルフパター全体（又はパターヘッド４２０全体）の重量バランスを設定することができる。これにより、ガード部２５の厚みは、ゴルフパター全体（又はパターヘッド４２０全体）のバランスを最適とするような厚みに設定される。本実施の形態の場合、ベース体２３と一体に形成されたガード部２５の材質としてステンレスを用いている。この材質によっても、その重量が変わるため、ガード部２５の厚みや形状を種々設定することで、ゴルフパター全体（又はパターヘッド４２０全体）としての重量バランスを最適な状態にすることができる。
【０１２２】
この場合、ガード部２５の厚みだけではなく、その長さによっても、ゴルフパター全体（又はパターヘッド４２０全体）としての重量バランスを設定することができる。
【０１２３】
また、図３３〜図３８においては、ローラ７１、７２（図２）を取り外した状態を示しているが、図２に示した場合と同様にして、ローラ７１、７２を着脱可能としている。図２に示したガード部２５の先端部は、ローラ７１、７２（図２）の内側まで覆うように略半円状に湾曲した形状を有しているが、これに限られるものではなく、図３３〜図３８に示すように、一対のガード部２５の先端部が互いに対向するように略９０度だけ湾曲するような形状、又は、先端部を湾曲させずに直線状とした形状であってもよい。
【０１２４】
（ゴルフパターの概要）
本発明の実施の形態におけるゴルフパター１０は、グリップ１２が設けられたシャフト１１と、シャフト１１の先端に設けられた、打球面２２を有するパターヘッド（ヘッド本体部２１）とを備えるゴルフパター１０であって、パターヘッド（ヘッド本体部２１）の底面２１Ａよりも下方において上下動可能にパターヘッド（ヘッド本体部２１）に支持されたローラ７１、７２と、パターヘッド（ヘッド本体部２１）の打球面２２の向きとローラ７１、７２の転がり方向との関係を一定に保つローラ７１、７２の支持手段（突起部３１、３２、３３、溝部２３Ａ、ローラ部７０）とを備えることを特徴とする。
【０１２５】
この構成においては、パターヘッド（ヘッド本体部２１）の打球面２２の向きとローラ７１、７２の転がり方向との関係が一定に保たれることにより、ゴルフパター１０を一定方向に振るストローク練習を行うことができる。この場合、ローラ７１、７２は、パターヘッド（ヘッド本体部２１）の底面２１Ａよりも下方において上下動可能に支持されることにより、ストローク操作においてローラ７１、７２が芝面９１に追従して転がり、ローラ７１、７２と芝面９１との摩擦抵抗により、ローラ７１、７２の転がり方向にパターヘッド（ヘッド本体部２１）をガイドすることができる。
【０１２６】
また本実施の形態におけるゴルフパター１０は、上記構成において、ローラ７１、７２の転がり方向は、打球面２２に対して水平面内でほぼ直交する方向であることを特徴とする。
【０１２７】
この構成においては、ゴルフパター１０のストローク方向と打球面２２とが常に水平面内で直交することとなり、ゴルフボールの打ち出し方向を安定させることができる。
【０１２８】
また本実施の形態におけるゴルフパター１０は、上記構成において、支持手段（突起部３１、３２、３３、溝部２３Ａ、ローラ部７０）は、ローラ７１、７２を、パターヘッド（ヘッド本体部２１）に着脱可能に支持することを特徴とする。
【０１２９】
この構成においては、ローラ７１、７２が着脱可能であることにより、練習グリーンでは、ローラ７１、７２を装着してストローク練習を行い、ゴルフコースをまわる場合には、ローラ７１、７２を外してプレーを行うことができる。このように、練習グリーン及びゴルフコースにおいて、同じゴルフパター１０をローラ７１、７２の有無の違いだけで用いることができることにより、練習グリーン用とゴルフコース用とで異なる専用のゴルフパター１０を用いる場合に比べて、プレーヤは、違和感を生じることなくプレーに集中できるようになる。これにより、練習グリーンでの練習の成果をゴルフコースにおけるプレーに反映させ易くすることができる。
【０１３０】
また本実施の形態におけるゴルフパター１０は、上記構成において、支持手段（突起部３１、３２、３３、溝部２３Ａ、ローラ部７０）は、ローラ７１、７２を当該ローラ７１、７２の自重により底面２１Ａの高さよりも下方に出没させることを特徴とする。
【０１３１】
この構成においては、ローラ７１、７２がその自重により底面２１Ａよりも下方に吊り下げられた状態となることにより、ローラ７１、７２が芝面９１に接地する範囲では、パターヘッド（ヘッド本体部２１）を上下移動させても、ローラ７１、７２の重量がプレーヤに伝わることを抑制することができる。これにより、ストローク操作においてパターヘッド（ヘッド本体部２１）の上下動が生じても、プレーヤには、ローラ７１、７２と芝面９１との間の僅かな転がり抵抗だけが伝わることとなり、スムーズにストローク操作を行うことが可能となる。
【０１３２】
また本実施の形態におけるゴルフパター１０は、上記構成において、支持手段（突起部３１、３２、３３、溝部２３Ａ、ローラ部７０）は、パターヘッド（ヘッド本体部２１）に回動可能に枢支される回動アーム７６と、回動アーム７６の回動端に回転可能に枢支されたローラ７１、７２とを備えることを特徴とする。
【０１３３】
この構成においては、回動アーム７６の回動端にローラ７１、７２を枢支するといった簡単な構造により、底面２１Ａの下方に出没可能にローラ７１、７２を支持することができる。
【０１３４】
また本実施の形態におけるゴルフパター１０は、上記構成において、回動アーム７６の回動動作の回動中心となる回動軸７６Ａを回動可能に略水平方向に支持すると共に、回動軸７６Ａを回動軸７６Ａに直交する方向に着脱可能とする支持部（突起部３１、３２、３３、溝部２３Ａ）と、回動アーム７６の回動軸７６Ａに沿う方向（矢印ｘ２方向）への動きを規制する規制部（溝部２３Ａ、係合片７７）とを備えることである。
【０１３５】
この構成においては、回動アーム７６の回動軸７６Ａを、当該回動軸７６Ａに直交する方向に着脱可能とし、装着された状態においては規制部（溝部２３Ａ、係合片７７）によって回動アーム７６の回動軸７６Ａに沿う方向（矢印ｘ２方向）への不要な動きを規制することにより、回動アーム７６に設けられたローラ７１、７２の転がり方向を安定化することができる。
【産業上の利用可能性】
【０１３６】
ストロークを安定させるための練習を行う場合に用いることができる。
【符号の説明】
【０１３７】
１０  ゴルフパター
１１、１１１、２１１  シャフト
１２  グリップ
２０、１２０、２２０、４２０  パターヘッド
２１、１２１、２２１  ヘッド本体部
２１Ａ、１２１Ａ、２２１Ａ  底面
２２、１２２、２２２  打球面
２３、１２３、２２３  ベース体
２４、３２４  支持部
２５  ガード部
３１、３２、３３、３３１、３３２、３３３  突起部
３２Ｂ、３３Ｂ  凹部
４２  制限部
４２Ａ  傾斜面
７０、１７０、２７０  ローラ部
７１、７２、１７１、１７２、２７１、２７２、３７１、３７２  ローラ
７１Ａ、７２Ａ  回転体
７１Ｂ、７２Ｂ  タイヤ
７３、１７３、２７３、３７３  回転軸
７６  回動アーム
７６Ａ  回動軸
７６Ｂ、７６Ｃ  アーム部
７７  係合片
７７Ａ  平面ガイド部
７７Ｂ  曲面ガイド部
１３１、２３１  ガイド板
１３２、１３３  支持アーム
１７４  スライド板
１７６、２８１  ベース板
２３５  装着部
２８０  支持部材
２８２  軸受部
３７５  突起
【図１】
2012070628.tif 000003
【図２】
2012070628.tif 000004
【図３】
2012070628.tif 000005
【図４】
2012070628.tif 000006
【図５】
2012070628.tif 000007
【図６】
2012070628.tif 000008
【図７】
2012070628.tif 000009
【図８】
2012070628.tif 000010
【図９】
2012070628.tif 000011
【図１０】
2012070628.tif 000012
【図１１】
2012070628.tif 000013
【図１２】
2012070628.tif 000014
【図１３】
2012070628.tif 000015
【図１４】
2012070628.tif 000016
【図１５】
2012070628.tif 000017
【図１６】
2012070628.tif 000018
【図１７】
2012070628.tif 000019
【図１８】
2012070628.tif 000020
【図１９】
2012070628.tif 000021
【図２０】
2012070628.tif 000022
【図２１】
2012070628.tif 000023
【図２２】
2012070628.tif 000024
【図２３】
2012070628.tif 000025
【図２４】
2012070628.tif 000026
【図２５】
2012070628.tif 000027
【図２６】
2012070628.tif 000028
【図２７】
2012070628.tif 000029
【図２８】
2012070628.tif 000030
【図２９】
2012070628.tif 000031
【図３０】
2012070628.tif 000032
【図３１】
2012070628.tif 000033
【図３２】
2012070628.tif 000034
【図３３】
2012070628.tif 000035
【図３４】
2012070628.tif 000036
【図３５】
2012070628.tif 000037
【図３６】
2012070628.tif 000038
【図３７】
2012070628.tif 000039
【図３８】
2012070628.tif 000040
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
グリップが設けられたシャフトと、前記シャフトの先端に設けられた、打球面を有するパターヘッドとを備えるゴルフパターであって、
前記パターヘッドの底面よりも下方において上下動可能に前記パターヘッドに支持されたローラと、
前記パターヘッドの前記打球面の向きと、前記ローラの転がりにより前記パターヘッドが導かれる方向との関係を一定に保つ前記ローラの支持手段と
を備え、
前記ローラの転がり方向は、前記打球面に対して水平面内でほぼ直交する方向であり、
前記支持手段は、前記ローラを、前記パターヘッドに着脱可能に支持することを特徴とするゴルフパター。
【請求項４】
前記支持手段は、
前記ローラを当該ローラの自重により前記底面の高さよりも下方に出没させることを特徴とする請求項３に記載のゴルフパター。
【請求項５】
前記支持手段は、
前記パターヘッドに回動可能に枢支される回動アームと、
前記回動アームの回動端に回転可能に枢支された前記ローラと
を備えることを特徴とする請求項３又は請求項４に記載のゴルフパター。
【請求項６】
前記回動アームの前記回動動作の回動中心となる回動軸を回動可能に略水平方向に支持すると共に、前記回動軸を前記回動軸に直交する方向に着脱可能とする支持部と、
前記回動アームの前記回動軸に沿う方向への動きを規制する規制部と
を備えることを特徴とする請求項５に記載のゴルフパター。
【請求項７】
ゴルフパターのパターヘッドの打球面が設けられたヘッド本体部の底面よりも下方において上下動可能、かつ、着脱可能にローラを支持し、
前記打球面の向きと、前記ローラの転がりにより前記パターヘッドが導かれる方向との関係を一定に保つと共に、
前記ローラの転がり方向を、前記打球面に対して水平面内でほぼ直交する方向とすることを特徴とするローラの支持手段。
【請求項８】
前記支持手段は、
前記ローラを当該ローラの自重により前記底面の高さよりも下方に出没させることを特徴とする請求項７に記載のローラの支持手段。
【請求項９】
前記支持手段は、
前記ヘッド本体部に回動可能に枢支される回動アームと、
前記回動アームの回動端に回転可能に枢支された前記ローラと
を備えることを特徴とする請求項７又は請求項８のいずれかに記載のローラの支持手段。
【請求項１０】
前記回動アームの前記回動動作の回動中心となる回動軸を回動可能に略水平方向に支持すると共に、前記回動軸を前記回動軸に直交する方向に着脱可能とする支持部と、
前記回動アームの前記回動軸に沿う方向への動きを規制する規制部と
を備えることを特徴とする請求項９に記載のローラの支持手段。
【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
グリップが設けられたシャフトと、前記シャフトの先端に設けられた、打球面を有するパターヘッドとを備えるゴルフパターであって、
前記パターヘッドの底面よりも下方において上下動可能に前記パターヘッドに支持されたローラと、
前記パターヘッドに回動可能に枢支される回動アームと、前記回動アームの回動端に回転可能に枢支された前記ローラとを備え、前記パターヘッドの前記打球面の向きと、前記ローラの転がりにより前記パターヘッドが導かれる方向との関係を一定に保つ前記ローラの支持手段と、
前記回動アームの回動動作の回動中心となる回動軸を回動可能に略水平方向に支持すると共に、前記回動軸を前記回動軸に直交する方向に着脱可能とする支持部と、
前記回動アームの前記回動軸に沿う方向への動きを規制する規制部と、
を備え、
前記ローラの転がり方向は、前記打球面に対して水平面内でほぼ直交する方向であり、
前記支持手段は、前記ローラを、前記パターヘッドに着脱可能に支持することを特徴とするゴルフパター。
【請求項２】
前記支持手段は、
前記ローラを当該ローラの自重により前記底面の高さよりも下方に出没させることを特徴とする請求項１に記載のゴルフパター。
【請求項３】
ゴルフパターのパターヘッドの打球面が設けられたヘッド本体部の底面よりも下方において上下動可能、かつ、着脱可能にローラを支持し、
前記打球面の向きと、前記ローラの転がりにより前記パターヘッドが導かれる方向との関係を一定に保つと共に、
前記ローラの転がり方向を、前記打球面に対して水平面内でほぼ直交する方向とし、
前記ヘッド本体部に回動可能に枢支される回動アームと、
前記回動アームの回動端に回転可能に枢支された前記ローラと、
前記回動アームの回動動作の回動中心となる回動軸を回動可能に略水平方向に支持すると共に、前記回動軸を前記回動軸に直交する方向に着脱可能とする支持部と、
前記回動アームの前記回動軸に沿う方向への動きを規制する規制部と、
を備えることを特徴とするローラの支持手段。
【請求項４】
前記支持手段は、
前記ローラを当該ローラの自重により前記底面の高さよりも下方に出没させることを特徴とする請求項３に記載のローラの支持手段。
【手続補正３】
【補正対象書類名】明細書
【補正対象項目名】００１２
【補正方法】変更
【補正の内容】
【００１２】
本発明の実施の形態に係る特徴は、グリップが設けられたシャフトと、前記シャフトの先端に設けられた、打球面を有するパターヘッドとを備えるゴルフパターであって、前記パターヘッドの底面よりも下方において上下動可能に前記パターヘッドに支持されたローラと、前記パターヘッドに回動可能に枢支される回動アームと、前記回動アームの回動端に回転可能に枢支された前記ローラとを備え、前記パターヘッドの前記打球面の向きと、前記ローラの転がりにより前記パターヘッドが導かれる方向との関係を一定に保つ前記ローラの支持手段と、前記回動アームの回動動作の回動中心となる回動軸を回動可能に略水平方向に支持すると共に、前記回動軸を前記回動軸に直交する方向に着脱可能とする支持部と、前記回動アームの前記回動軸に沿う方向への動きを規制する規制部と、を備え、前記ローラの転がり方向は、前記打球面に対して水平面内でほぼ直交する方向であり、前記支持手段は、前記ローラを、前記パターヘッドに着脱可能に支持することである。
【手続補正４】
【補正対象書類名】明細書
【補正対象項目名】００１４
【補正方法】変更
【補正の内容】
【００１４】
この構成においては、ゴルフパターのストローク方向と打球面とが常に水平面内で直交することとなり、ゴルフボールの打ち出し方向を安定させることができる。
【手続補正５】
【補正対象書類名】明細書
【補正対象項目名】００１５
【補正方法】変更
【補正の内容】
【００１５】
この構成においては、ローラが着脱可能であることにより、練習グリーンをはじめとする種々の練習場所（フローリング、絨毯等の種々の床面、人工芝、その他の地面等）では、ローラを装着してストローク練習を行い、ゴルフコースをまわる場合には、ローラを外してプレーを行うことができる。このように、練習場所及びゴルフコースにおいて、同じゴルフパターをローラの有無の違いだけで用いることができることにより、練習場所用とゴルフコース用とで異なる専用のゴルフパターを用いる場合に比べて、プレーヤは、違和感を感じることなくプレーに集中できるようになる。これにより、練習グリーンでの練習の成果をゴルフコースにおけるプレーに反映させ易くすることができる。
【手続補正６】
【補正対象書類名】明細書
【補正対象項目名】００１６
【補正方法】変更
【補正の内容】
【００１６】
この構成においては、回動アームの回動端にローラを枢支するといった簡単な構造により、底面の下方に出没可能にローラを支持することができる。
【手続補正７】
【補正対象書類名】明細書
【補正対象項目名】００１７
【補正方法】変更
【補正の内容】
【００１７】
この構成においては、回動アームの回動軸を、当該回動軸に直交する方向に着脱可能とし、装着された状態においては規制部によって回動アームの回動軸に沿う方向への不要な動きを規制することにより、回動アームに設けられたローラの転がり方向を安定化することができる。
【手続補正８】
【補正対象書類名】明細書
【補正対象項目名】００２０
【補正方法】変更
【補正の内容】
【００２０】
本発明におけるローラの支持手段の実施の形態に係る特徴は、ゴルフパターのパターヘッドの打球面が設けられたヘッド本体部の底面よりも下方において上下動可能、かつ、着脱可能にローラを支持し、前記打球面の向きと、前記ローラの転がりにより前記パターヘッドが導かれる方向との関係を一定に保つと共に、前記ローラの転がり方向を、前記打球面に対して水平面内でほぼ直交する方向とし、前記ヘッド本体部に回動可能に枢支される回動アームと、前記回動アームの回動端に回転可能に枢支された前記ローラと、前記回動アームの回動動作の回動中心となる回動軸を回動可能に略水平方向に支持すると共に、前記回動軸を前記回動軸に直交する方向に着脱可能とする支持部と、前記回動アームの前記回動軸に沿う方向への動きを規制する規制部と、を備えることである。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【国際調査報告】
2012070628.tif 000041
2012070628.tif 000042
2012070628.tif 000043
2012070628.tif 000044